(57)【要約】【課題】クロノ駆動タイミングと磁界検出タイミングが重なって不必要に補正駆動パルスによって駆動されるのを防止すること。【解決手段】処理部１０８は、計時した計時情報、計測したクロノ計測情報に各々基づいて所定タイミングで時刻表示モータ１１０、クロノ表示モータ１１４を駆動するように駆動回路１０９、１１３を制御すると共に所定タイミングで磁界検出手段１１２が磁界を検出するように制御し、クロノ表示モータ１１４の駆動タイミングと磁界検出手段１１２の磁界検出タイミングが重なった場合、クロノ表示モータ１１４の駆動タイミングと磁界検出手段１１２の磁界検出タイミングが重ならないように磁界検出手段１１２の磁界検出タイミングを変更する。【選択図】  図１
2011027510.tif 000002
【特許請求の範囲】
【請求項１】
時刻針を駆動する時刻表示モータと、クロノグラフ針を駆動するクロノ表示モータと、磁界を検出する磁界検出手段と、時刻を計時する計時手段と、クロノ計測を行うクロノ計測手段と、前記クロノ表示モータを駆動すると共に、通常時は通常駆動パルスによって前記時刻表示モータを駆動するモータ駆動手段と、前記計時手段が計時した計時情報、前記クロノ計測手段が計測したクロノ計測情報に各々基づいて所定タイミングで前記時刻表示モータ、クロノ表示モータを駆動するように前記モータ駆動手段を制御すると共に所定タイミングで前記磁界検出手段が磁界を検出するように制御する制御手段とを備え、
前記制御手段は、前記クロノ表示モータの駆動タイミングと前記磁界検出手段の磁界検出タイミングが重なった場合、前記クロノ表示モータの駆動タイミングと磁界検出手段の磁界検出タイミングが重ならないように制御することを特徴とするクロノグラフ時計。
【請求項２】
前記制御手段は、前記クロノ表示モータの駆動タイミングと前記磁界検出手段の磁界検出タイミングが重なった場合、前記クロノ表示モータの駆動タイミングと前記磁界検出手段の磁界検出タイミングが重ならないように前記磁界検出手段の磁界検出タイミングを変更することを特徴とする請求項１記載のクロノグラフ時計。
【請求項３】
前記制御手段は、前記磁界検出手段は、前記時刻表示モータの駆動タイミングを変更することのないタイミングに磁界検出タイミングを変更することを特徴とする請求項２記載のクロノグラフ時計。
【請求項４】
前記制御手段は、前記クロノ表示モータの最初の駆動タイミングと前記磁界検出手段の磁界検出タイミングが重なった場合、磁界検出は行わないように前記磁界検出手段を制御すると共に、前記磁界検出タイミングに対応する通常駆動パルスに代えて前記通常駆動パルスよりも電力実効値の大きい補正駆動パルスによって前記時刻表示モータを駆動するように前記モータ駆動手段を制御することを特徴とする請求項１から請求項３のうちいずれか１つに記載のクロノグラフ時計。
【発明の詳細な説明】
【技術分野】
【０００１】
本発明は、時刻の表示機能及び時間計測機能を有するクロノグラフ時計に関する。
【背景技術】
【０００２】
複数の指針を各々駆動するために複数の駆動モータを搭載することで、時刻情報を表示することを基本機能としててさらに時間計測行うクロノグラフ計測機能を搭載した多機能時計において、モータ周辺の外部磁界を検出する磁界検出手段とモータの回転を検出する回転検出手段を搭載したものが開発されている（例えば特許文献１参照）。
前記多機能時計は、時計時刻モータ駆動回路に回転検出手段および磁界検出手段を搭載して、非回転検出または外部磁界を検出した際に、通常駆動時の通常駆動パルスよりも電力実効値が高い駆動パルス（補正駆動パルス）によって駆動するように制御し、クロノモータ駆動回路の通常駆動時のクロノ駆動パルスは、１秒周期よりも短い間隔で駆動を行うなど高速な駆動タイミングを行う場合が多く、回転検出手段や磁界検出手段の搭載を不要とするために電力実効値が高い駆動パルスを用いている場合が一般的である。
【０００３】
ここで、クロノグラフ計測がユーザによる任意のタイミングで開始され、クロノ表示モータを駆動するクロノ駆動タイミングと、時計時刻モータ駆動回路の磁界検出タイミングが重なった場合、クロノ駆動パルスによる磁界発生の影響を受けて誤った磁界検出を行い、不必要に補正駆動パルスによって駆動してしまうという問題や、クロノ駆動パルスの後に時刻表示モータの磁界検出を開始することによる時刻表示モータの駆動タイミングのズレが発生するという問題がある。
【先行技術文献】
【特許文献】
【０００４】
【特許文献１】特許第３０１９３２４号公報
【発明の概要】
【発明が解決しようとする課題】
【０００５】
本発明は、前記問題点に鑑み成されたもので、クロノ駆動タイミングと磁界検出タイミングが重なって不必要な補正駆動パルスが発生することによって無駄な電力が消費されることや、単に磁界検出タイミングを遅らせることによる時刻駆動タイミングが遅れるなどのズレを防止することを課題としている。
【課題を解決するための手段】
【０００６】
本発明によれば、時刻針を駆動する時刻表示モータと、クロノグラフ針を駆動するクロノ表示モータと、磁界を検出する磁界検出手段と、時刻を計時する計時手段と、クロノ計測を行うクロノ計測手段と、前記クロノ表示モータを駆動すると共に、通常時は通常駆動パルスによって前記時刻表示モータを駆動するモータ駆動手段と、前記計時手段が計時した計時情報、前記クロノ計測手段が計測したクロノ計測情報に各々基づいて所定タイミングで前記時刻表示モータ、クロノ表示モータを駆動するように前記モータ駆動手段を制御すると共に所定タイミングで前記磁界検出手段が磁界を検出するように制御する制御手段とを備え、前記制御手段は、前記クロノ表示モータの駆動タイミングと前記磁界検出手段の磁界検出タイミングが重なった場合、前記クロノ表示モータの駆動タイミングと磁界検出手段の磁界検出タイミングが重ならないように制御することを特徴とするクロノグラフ時計が提供される。
【発明の効果】
【０００７】
本発明に係るクロノグラフ時計によれば、クロノ駆動タイミングと磁界検出タイミングが重なって不必要な補正駆動パルスが発生することによって、無駄な電力が消費されるのを防止することが可能になる。
また、時刻針駆動タイミングを遅らすことなく、クロノ駆動タイミングと磁界検出タイミングが重ならないようにすることが可能になる。
【図面の簡単な説明】
【０００８】
【図１】本発明の実施の形態に係るクロノグラフ時計のブロック図である。
【図２】本発明の実施の形態に係るクロノグラフ時計のタイミング図である。
【図３】本発明の実施の形態に係るクロノグラフ時計のタイミング図である。
【図４】本発明の実施の形態に係るクロノグラフ時計のフローチャートである。
【図５】本発明の実施の形態に係るクロノグラフ時計のフローチャートである。
【発明を実施するための形態】
【０００９】
図１は、本発明の実施の形態に係るクロノグラフ時計のブロック図である。
図１において、クロノグラフ時計は、クロノグラフ機能のスタート操作とストップ操作を行うスタートスイッチ（Ａ）１０１、クロノグラフ機能のストップ／リセット操作を行うリセットスイッチ（Ｂ）１０２、クロノグラフ時計の外部磁界の検出タイミングを示す磁界検出タイミング信号を発生する磁界検出タイミング発生手段１０３、時刻針（例えば時針、分針、秒針）（図示せず）の駆動タイミングを示す時刻針駆動タイミング信号を発生する時刻駆動タイミング発生手段１０４、クロノグラフ針（例えばクロノ分針、クロノ秒針）（図示せず）の駆動タイミングを示すクロノグラフ針駆動タイミング信号を発生するクロノ駆動タイミング発生手段１０５、所定周波数の信号を発生する発振器１０６、発振器１０６で発生した信号を分周して計時の基準となる時計信号を発生する分周回路１０７、中央処理装置（ＣＰＵ）によって構成されクロノグラフ時計を構成するモータ１１０、１１４や各電子回路要素の制御処理等の各種処理を行う処理部１０８を備えている。
【００１０】
また、クロノグラフ時計は、処理部１０８からの制御信号に対応する駆動パルスによって時刻表示モータ１１０を回転駆動する駆動回路１０９、ステッピングモータによって構成され時刻針（例えば時針、分針、秒針）を回転駆動する時刻表示モータ１１０、時刻表示モータ１１０が回転したか否かを検出する回転検出手段１１１、時刻表示モータ１１０が駆動されていないとき外部磁界によって時刻表示モータ１１０の駆動コイル（図示せず）に流れる電流を検出することにより所定強度を超える外部磁界の有無を検出する磁界検出手段１１２を備えている。回転検出手段１１１や磁界検出手段１１２は公知の構成のものである。
【００１１】
また、クロノグラフ時計は、処理部１０８からの制御信号に対応する駆動パルスによってクロノ表示モータ１１４を回転駆動する駆動回路１１３、ステッピングモータによって構成されクロノグラフ針（例えばクロノ分針、クロノ秒針）を回転駆動するクロノ表示モータ１１４、処理部１０８が実行するソフトウェアを記憶する制御ソフトウェア記憶部１１５、設定情報や計時情報あるいはクロノグラフ計測情報等の各種情報を記憶する記憶部１１６を備えている。
【００１２】
ここで、スタートスイッチ１０１及びストップ／リセットスイッチ１０２は操作手段を構成している。発振器１０６、分周回路１０７及び処理部１０８は時刻を計時する計時手段やクロノ計測を行うクロノグラフ計測手段を構成している。駆動回路１０９は時刻表示モータ駆動手段を構成している。駆動回路１１３はクロノ表示モータ駆動手段を構成している。磁界検出タイミング発生手段１０３、時刻駆動タイミング発生手段１０４、クロノ駆動タイミング発生手段１０５及び処理部１０８は制御手段を構成している。また、制御ソフトウェア記憶部１１５及び記憶部１１６は記憶手段を構成している。
【００１３】
前記操作手段はクロノグラフ計測動作のスタート操作、ストップ操作及びリセット操作を行うことができ、制御手段は前記操作手段による操作に対応する処理を行うように各構成要素を制御することができる。
前記時刻表示モータ駆動手段は、通常時は通常駆動パルスＰ１によって時刻表示モータ１１０を駆動し、回転検出手段１１１が、時刻表示モータ１１０が非回転であることを検出した場合や、時刻表示モータ駆動中以外に磁界検出手段が外部磁界を検出した場合に、通常駆動パルスＰ１よりも電力実効値の大きい補正駆動パルスＰ２によって時刻表示モータ１１０を強制的に回転駆動することができる。
前記クロノ表示モータ駆動手段は、回転検出手段を不使用とするために電力実効値の高い駆動パルスによってクロノ表示モータ１１４を駆動する。
【００１４】
前記制御手段は、前記計時手段が計時した計時情報、前記クロノ計測手段が計測したクロノグラフ計測情報に各々基づいて所定タイミングで時刻表示モータ１１０、クロノ表示モータ１１４を駆動するように前記時刻表示モータ駆動手段およびクロノ表示モータ駆動手段を制御すると共に所定タイミングで磁界検出手段１１２が磁界を検出するように制御することができ、又、クロノ表示モータ１１０の駆動タイミングと磁界検出手段１１２の磁界検出タイミングが重なった場合、クロノ表示モータ１１４の駆動タイミングと磁界検出手段１１２の磁界検出タイミングが重ならないように制御することができる。
【００１５】
また、前記制御手段は、クロノ表示モータ１１４の駆動タイミングと磁界検出手段１１２の磁界検出タイミングが重なった場合、クロノ表示モータ１１４の駆動タイミングと磁界検出手段１１２の磁界検出タイミングが重ならないように磁界検出手段１１２の磁界検出タイミングを変更することができる。
また、前記制御手段は、クロノ表示モータ１１４の最初の駆動タイミングと磁界検出手段１１２の磁界検出タイミングが重なった場合、磁界検出は行わないように磁界検出手段１１２を制御すると共に、磁界検出タイミングに対応する通常駆動パルスＰ１に代えて前記通常駆動パルスＰ１よりも電力実効値の大きい補正駆動パルスＰ２によって時刻表示モータ１１０を駆動するように前記時刻表示モータ駆動手段を制御することができる。
【００１６】
図２及び図３は本発明の実施の形態に係るクロノグラフ時計のタイミング図で、図２は通常運針状態におけるタイミング図、図３は磁界検出タイミングとクロノ表示モータ１１４の駆動タイミングが重なったときのタイミング図である。
通常時、磁界検出タイミング発生手段１０３は所定周期で磁界検出タイミング信号ａ１、ａ２、ａ３、・・・を発生し（図２（１））、時刻駆動タイミング発生手段１０４は各磁界検出タイミングａ１、ａ２、ａ３、・・・から磁界検出期間Ｔをおいて時刻駆動タイミング信号ｂ１、ｂ２、ｂ３、・・を発生する（図２（２））。
先ず、磁界検出期間Ｔとクロノ駆動パルスＰ３が重ならない場合の動作を図２に沿って説明する。
【００１７】
通常時、処理部１０８は、各主駆動パルスＰ１による駆動の前に磁界検出を行うように制御する。即ち、処理部１０８は、前記各磁界検出タイミング信号ａ１、ａ２、ａ３、・・・に同期して、所定の磁界検出期間Ｔにおいて磁界を検出するように磁界検出手段１１２を制御する（図２（３））。磁界検出手段１１２は処理部１０８の制御に応答して磁界検出期間Ｔ内において、時刻表示モータ１１０が駆動されていない状態で、外部磁界により時刻表示モータ１１０の駆動コイルに生じる電流が所定の基準値を超えるか否かを検出する。
【００１８】
処理部１０８は、前記基準値を超える電流が時刻表示モータ１１０に流れていることを磁界検出手段１１２が検出した場合、時刻表示モータ１１０の駆動に影響を与える外部磁界が存在すると判定する。処理部１０８は、前記基準値を超える電流が時刻表示モータ１１０に流れていないことを磁界検出手段１１２が検出した場合、時刻表示モータ１１０の駆動に影響を与える外部磁界が存在しないと判定する。
【００１９】
処理部１０８は、磁界検出期間Ｔにおいて、時刻表示モータ１１０の駆動に影響を与える外部磁界が存在しないと判定すると、時刻駆動タイミング信号ｂ１、ｂ２、ｂ３、・・・に同期して、通常駆動パルスＰ１によって時刻表示モータ１１０を駆動するように駆動回路１０９を制御する（図２（３））。駆動回路１０９は処理部１０８の制御に応答して主駆動パルスＰ１によって時刻表示モータ１１０を回転駆動する。これにより、時刻針によって現在時刻が随時表示される。回転検出手段１１１が前記駆動によって時刻表示モータは回転しなかったことを検出した場合、処理部１０８は補正駆動パルスＰ２によって駆動するように駆動回路１０９を制御する（図２（３））。駆動回路１０９は処理部１０８の制御に応答して補正駆動パルスＰ２によって強制的に時刻表示モータ１１０を回転駆動する。これにより、時刻表示モータ１１０が回転し、時刻針が適正に運針される。
【００２０】
処理部１０８は、磁界検出期間Ｔにおいて、時刻表示モータ１１０の駆動に影響を与える外部磁界が存在すると判定すると、時刻駆動タイミング信号ｂ１、ｂ２、ｂ３、・・・に同期して、通常駆動パルスＰ１よりも電力実効値の大きい所定の駆動パルス（固定駆動パルス）によって時刻表示モータ１１０を駆動するように駆動回路１０９を制御する（図２（３））。駆動回路１０９は処理部１０８の制御に応答して前記固定駆動パルスによって時刻表示モータ１１０を回転駆動する。これにより、外部磁界が存在する場合でも時刻針を正確に運針させることができる。尚、前記固定駆動パルスは、補正駆動パルスより電力実効値の小さい駆動パルスでもよく又、補正駆動パルスＰ２を使用してもよい。
【００２１】
スタート／ストップスイッチ１０１の操作によってクロノ計測機能がスタート操作された場合、図２の例では、前記スタート操作に応答してクロノ駆動タイミング発生手段１０５が、補正駆動パルスＰ２の駆動後に、所定周期でクロノ駆動タイミング信号（図示せず）を発生する。処理部１０８は前記クロノ駆動タイミング信号に同期して、クロノグラフ針を回転検出や磁界検出を必要としないための電力実効値の大きいクロノ駆動パルスＰ３によってクロノ表示モータ１１４を駆動するように駆動回路１１３を制御する（図２（４））。
【００２２】
駆動回路１１３は処理部１０８の制御に応答して、クロノ駆動パルスＰ３によってクロノ表示モータ１１４を回転駆動する。これにより、クロノグラフ針が適正に運針される。スタート／ストップスイッチ１０１をストップ操作すると、処理部１０８はこれに応答してクロノ表示モータ１１４の駆動を停止するように駆動回路１１３を制御する。ことにより、クロノグラフ計測動作が停止し、クロノグラフ計測結果がクロノグラフ針によって表示される。リセットスイッチ１０２をリセット操作すると、処理部１０８は記憶部１１６に記憶したクロノ計測情報をゼロにリセットし、クロノグラフ針が帰零する。
【００２３】
次に、磁界検出期間Ｔとクロノ駆動パルスＰ３が重なった場合の動作を図３に沿って説明する。
処理部１０８は、クロノ計測動作が行われて最初に駆動するクロノ駆動パルスＰ３が、磁界検出期間Ｔ（磁界検出タイミング信号ａ２に同期する磁界検出期間Ｔ）と重なると判定すると、磁界検出を行うことなく又主駆動パルスＰ１による駆動を行うことなく、直ちに補正駆動パルスＰ２（時刻駆動タイミング信号ｂ２に同期する補正駆動パルスＰ２）によって駆動するように駆動回路１０９を制御する。駆動回路１０９は主駆動パルスＰ１の駆動タイミングに同期して直ちに補正駆動パルスＰ２によって時刻表示モータ１１０を駆動し、時刻針の運針が行われる。また、駆動回路１１３は前記クロノ駆動パルスＰ３によってクロノ表示モータ１１４を駆動し、クロノグラフ針の運針が行われる。
【００２４】
これにより、磁界検出期間Ｔとクロノ駆動パルスＰ３が重なった最初の時刻表示モータ駆動の場合、磁界検出を省略して、補正駆動パルスＰ２によって回転駆動することにより、仮に外部磁界が存在する場合でも、補正駆動パルスＰ２を使用することによって確実に回転駆動することが可能になる。これにより、時刻表示モータの駆動タイミングのズレを防止することができる。
【００２５】
処理部１０８は、次回以降の駆動サイクルでは磁界検出期間Ｔがクロノ駆動パルスＰ３と重ならないように制御する。図３の例では、処理部１０８は、磁界検出期間Ｔとクロノ駆動パルスＰ３が重ならないように磁界検出タイミング信号ａ３の発生タイミングを変えている。即ち、処理部１０８は、磁界検出期間Ｔをクロノ駆動パルスＰ３よりも前にずらして重ならないようにしている。
処理部１０３は、新たな磁界検出区間において、時刻表示モータ１１０が駆動されていない状態で、図２と同様に、磁界検出手段１１２に外部磁界の検出を行わせ、外部磁界が存在しないと判定した場合には主駆動パルスＰ１による駆動を行い、外部磁界が存在すると判定した場合には主駆動パルスＰ１よりも電力実効値の大きい固定駆動パルスによる駆動を行う。これにより、磁界検出タイミングとクロノ駆動パルスＰ３のタイミングが重なってしまった場合の２回目以降のタイミングにおいて、重なりを防止することによって時刻駆動パルスを補正駆動パルスＰ２から適切な主駆動パルスＰ１に変更すること可能になり、無駄な電力消費を防止することができる。
【００２６】
図４及び図５は本発明の実施の形態に係るクロノグラフ時計のフローチャートで、主として処理部１０８が制御ソフトウェア記憶部１１５に記憶した制御ソフトウェアを実行することによって行われる処理を示している。
以下、図１〜図３を参照しつつ、図４及び図５に沿って、本発明の実施の形態に係るクロノグラフ時計の動作を説明する。
処理部１０８は、スタートスイッチ１０１が操作されたと判定すると（ステップＳ４０１）、クロノ計測動作が現在行われていない場合にはクロノ計測動作をスタートした後にステップＳ４０３に移行し、クロノ計測動作が現在行われていると判定した場合には直ちにステップＳ４０３に移行する（ステップＳ４０５、Ｓ４０６）。
【００２７】
処理部１０８は、ステップＳ４０１においてスタートスイッチ１０１が操作されていないと判定した場合、ストップ／リセットスイッチ１０２が操作されたと判定したときには（ステップＳ４０２）、クロノ計測動作が現在行われていなければクロノグラフ針を帰零し、クロノ秒を計測するクロノ秒カウンタ（図示せず）を初期化してステップＳ４０３に移行する（ステップＳ４０７、Ｓ４０９、Ｓ４１０）。処理部１０８は、ステップＳ４０７において現在クロノ計測動作が行われていると判定した場合、クロノ計測動作を停止してステップＳ４０３に移行する（ステップＳ４０８）。
【００２８】
次に、処理部１０８は、時刻駆動タイミング発生手段１０４からの時刻駆動タイミング信号に基づいて時刻駆動タイミングが発生したと判定すると（ステップＳ４０３）、駆動回路１０９を制御して時刻表示モータ１１０を駆動し、ステップＳ４０４へ移行する（ステップＳ４１１）。
処理部１０８は、ステップＳ４０３において時刻駆動タイミング発生手段１０４からの時刻駆動タイミング信号に基づいて時刻駆動タイミングが発生していないと判定した場合、クロノ駆動タイミング発生手段１０５からのクロノ駆動タイミング信号に基づいてクロノ駆動タイミングが発生したと判定すると（ステップＳ４０４）、駆動回路１１３を制御してクロノ表示モータ１１４を駆動して、ステップＳ４１３に移行する（ステップＳ４１２）。
【００２９】
処理部１０８は、ステップＳ４０４においてクロノ駆動タイミングが発生していないと判定した場合、磁界検出期間Ｔ中か否かを判定する（ステップＳ４１３）。
処理部１０８は、ステップＳ４１３において磁界検出期間Ｔ中と判定した場合、クロノ駆動期間中のときには補正駆動パルスＰ２によって強制的に回転駆動するように駆動回路１０９を制御し（ステップＳ４１６、Ｓ４１８）、磁界検出タイミング発生手段１０３の以後の磁界検出タイミングを変更するように制御した後、ステップＳ４１４に移行する（ステップＳ４１９）。
【００３０】
処理部１０８は、ステップＳ４１６においてクロノ駆動期間中ではないと判定した場合、磁界検出手段１１２によって磁界検出するように制御した後、ステップＳ４１４に移行する（ステップＳ４１７）。
処理部１０８は、ステップＳ４１４において時刻駆動期間中と判定した場合、時刻駆動タイミング発生手段１０４からの時刻駆動タイミング信号に同期して、時刻駆動用の主駆動パルスＰ１によって時刻表示モータ１１０を回転駆動するように駆動回路１０９を制御した後、ステップＳ４１５に移行する（ステップＳ４２０）。
【００３１】
処理部１０８は、ステップＳ４１４において時刻駆動期間中ではないと判定した場合、クロノ駆動期間中と判定したときは（ステップＳ４１５）、クロノ駆動タイミング発生手段１０５からのクロノ駆動タイミング信号に同期してクロノ表示モータ１１４を駆動するように駆動回路１１３を制御した後、ステップＳ４０１に戻り（ステップＳ４２１）、クロノ期間中ではないと判定したときは直ちにステップＳ４０１に戻る。
【００３２】
以上述べたように、本発明の実施の形態に係るクロノグラフ時計によれば、処理部１０８は、計時した計時情報、計測したクロノ計測情報に各々基づいて所定タイミングで時刻表示モータ１１０、クロノ表示モータ１１４を駆動するように駆動回路１０９、１１３を制御すると共に所定タイミングで磁界検出手段１１２が磁界を検出するように制御し、クロノ表示モータ１１４の駆動タイミングと磁界検出手段１１２の磁界検出タイミングが重なった場合、クロノ表示モータ１１４の駆動タイミングと磁界検出手段１１２の磁界検出タイミングが重ならないようにしている。
また、処理部１０８は、クロノ表示モータ１１４の駆動タイミングと磁界検出手段１１２の磁界検出タイミングが重なった場合、クロノ表示モータ１１４の駆動タイミングと磁界検出手段１１２の磁界検出タイミングが重ならないように磁界検出手段１１２の磁界検出タイミングを変更するようにしている。
【００３３】
したがって、クロノ駆動タイミングと磁界検出タイミングが重なって不必要に補正駆動パルスによって駆動されるのを防止することが可能になる。
また、クロノグラフ機能動作時に、クロノ駆動パルスと磁界検出動作が重なった場合でも、時刻表示モータ駆動タイミングのずれをなくすことができる。
また、クロノ駆動タイミングと磁界検出タイミングが重なった場合に単に磁界検出タイミングを遅らせるようにはしていないため、その後の時刻駆動パルスの出力タイミングが遅延されることがない。
また、クロノ駆動タイミングによる磁界の誤検出及び時刻モータ運針タイミングのズレを軽減することが可能になる。
【産業上の利用可能性】
【００３４】
外部磁界の影響を考慮して計時動作を行うクロノグラフ時計に適用可能である。
【符号の説明】
【００３５】
１０１・・・スタートスイッチ
１０２・・・ストップ／リセットスイッチ
１０３・・・磁界検出タイミング発生手段
１０４・・・時刻駆動タイミング発生手段
１０５・・・クロノ駆動タイミング発生手段
１０６・・・発振器
１０７・・分周回路
１０８・・・処理部
１０９、１１３・・・駆動回路
１１０・・・時刻表示モータ
１１１・・・回転検出手段
１１２・・・磁界検出手段
１１４・・・クロノ表示モータ
１１５・・・制御ソフトウェア記憶部
１１６・・・記憶部
【図１】
2011027510.tif 000003
【図２】
2011027510.tif 000004
【図３】
2011027510.tif 000005
【図４】
2011027510.tif 000006
【図５】
2011027510.tif 000007